(57)【要約】廃水汚泥の生物学的消化を向上する方法が提供される。当該方法は、好気性または嫌気性消化の効率を促進および改善するように二酸化塩素を使用する。
2013515600.tif 000002
【特許請求の範囲】
【請求項１】
都市汚泥消化の改善方法であって、前記方法が：
廃棄活性汚泥（ＷＡＳ）試料を得て；
前記ＷＡＳ試料の１０分以上の接触時間を可能にする条件下において前記ＷＡＳ試料に二酸化塩素を投与して、処理されたＷＡＳ試料を生成し；
前記処理されたＷＡＳ試料に嫌気性消化または好気性消化を行う、
ことを含む、都市汚泥消化の改善方法。
【請求項２】
接触時間が、６時間以上であり、および嫌気性消化容器内において、処理されたＷＡＳ試料に嫌気性消化を行ってメタンを生成する、請求項１に記載の方法。
【請求項３】
脱水したケーキ物質を生成するように、処理されたＷＡＳ試料を脱水し、および脱水したケーキ物質を堆肥化によって好気的に消化するための微生物を含む接種物を、脱水したケーキ物質に接種することを更に含む、請求項１に記載の方法。
【請求項４】
堆肥化前に、脱水したケーキ物質を木材廃棄物または植物性廃棄物と混合する、請求項３に記載の方法。
【請求項５】
前記脱水したケーキ物質に、堆肥化によって好気性消化を行うことを更に含む、請求項３に記載の方法。
【請求項６】
前記接種工程が、存在している堆肥化堆積物からの浸出液を前記脱水したケーキ物質に投与することを含む、請求項３に記載の方法。
【請求項７】
前記投与工程が、６時間〜２４時間の接触時間を可能にする条件下において容器内で前記ＷＡＳ試料を二酸化塩素に付する、請求項１に記載の方法。
【請求項８】
浄化器から、浄化器と保持タンクの間において拡張している保持タンクに、ＷＡＳを移動する配管内において、前記投与する工程を行う、請求項１に記載の方法。
【請求項９】
都市汚泥消化の改善方法であって、前記方法が：
廃棄活性汚泥（ＷＡＳ）試料を得て：
二酸化塩素を前記ＷＡＳ試料に投与して、処理されたＷＡＳ試料を生成し；
前記処理された（ＷＡＳ）試料を脱水して、脱水したバイオソリッド試料を生成し；および
前記脱水したバイオソリッド試料を好気性条件下において堆肥化する、
ことを含む、都市汚泥消化の改善方法。
【請求項１０】
堆肥化が、クラスＡバイオソリッド試料を作り出す、請求項９に記載の方法。
【請求項１１】
廃水処理システムであって：
ａ．バイオソリッドを含む廃水を処理するための生物学的処理ユニット；
ｂ．廃棄活性汚泥（ＷＡＳ）を生成するように水を前記廃水から除去するための、前記生物学的処理ユニットと流体連結している浄化器；
ｃ．前記浄化器からＷＡＳを輸送するための第１配管；
ｄ．処理されたＷＡＳを生成するように、二酸化塩素を前記ＷＡＳに供給するように前記配管と流体連結している二酸化塩素源；
ｅ．調整されたＷＡＳを生成するように、処理されたＷＡＳを予め決められた時間に亘って保持する大きさおよび寸法にされており前記配管と流体連結している保持タンク；
ｆ．前記調整されたＷＡＳを消化してメタンガスを生成する、前記保持タンクと流体連結している好気性消化槽、
を含む廃水処理システム。
【請求項１２】
前記消化槽と流体連結している脱水タンクを更に含む、請求項１１に記載のシステム。
【請求項１３】
前記処理されたＷＡＳ試料に、好気性消化に適している微生物を含む接種物を接種することを更に含む、請求項１に記載の方法。
【請求項１４】
処理されたＷＡＳが、処理されていないＷＡＳと比較して、揮発性固形物の促進された減少を達成する、請求項１に記載の方法。
【請求項１５】
処理されたＷＡＳが、処理されていないＷＡＳと比較して、ＶａｎＫｌｅｅｋ法により求めて少なくとも３８％の促進された揮発性固形物の減少を達成する、請求項１４に記載の方法。
【発明の詳細な説明】
【技術分野】
【０００１】
本発明は、生物学的消化プロセスを改善するためのシステムおよびプロセスに関する。とりわけ、本発明は、栄養素を所望の微生物学的有機物による代謝に利用可能にすることによってプロセスを促進するように、病原菌であってもよいまたはなくてもよい競合する有機物を減少することによって、および基質（有機物質）の細胞壁を機械的に変化させることによって、廃水処理に関する好気性または嫌気性消化プロセスにおける特定有機物の微生物活性を改善するように二酸化塩素を使用する方法に関する。
【背景技術】
【０００２】
都市廃水処理の際に、相当量の分解可能な有機物および栄養素を含む汚泥が生成される。この汚泥ケーキまたはバイオソリッド物質の有益な再利用は世界的に行われている。
【０００３】
廃水は、流入水として廃水処理工場に入る。典型的には、この流入水に、いくらかの形態の生物学的栄養素除去が行われ、後に、いくらかの種類の浄化または沈殿プロセスによって固形物（汚泥）が液体（排水）部分から分離される。排水は、ろ過され、殺菌され、および地上水に排出され得るまたは再利用され得る。汚泥部分は、従来、いくつかの種類の安定化プロセスに移行され、分解可能な有機物は、処分のために腐敗しにくいバイオソリッド物質に分解される。米国における都市汚泥安定化に用いる最も一般的な３つのプロセスは、嫌気性消化、好気性消化、および堆肥化である。
【０００４】
嫌気性消化プロセスにおいて、微生物は空気の欠如下で汚泥内の生分解可能物質を分解する。この生物学的に分解された最終生成物は、メタンと二酸化炭素とから大部分が成る安定化されたバイオソリッドおよびバイオガスである。プロセスから得られるメタンの容量は、プロセスで消費される汚泥の生物学的酸素要求量または化学的酸素要求量に直接関係する。
【発明の概要】
【発明が解決しようとする課題】
【０００５】
汚泥の炭水化物および脂質要素は容易に分解されるが、一方で、たんぱく質は、細胞壁内に含まれており、該細胞壁は、まず、消化のための栄養素として含有物を即座に利用可能にするように分解される必要がある。試行は、嫌気性消化プロセスを促進するように、汚泥を前処理することに関して為されてきた。１つの例は、栄養素を更に即座に利用可能にする熱加水分解（高圧蒸気）を用いたＣａｍｂｉ（登録商標）プロセス（５，８８８，３０７および６，９１３，７００）である。上述した例は、１９４０年代〜１９６０年代に遡るＰｏｒｔｏｕｓおよびＺｉｍｐｒｏプロセスを含む。熱加水分解は、典型的には、１週間〜２週間に亘って１３５℃以下まで、または３０分間に亘ってより高温（１８５℃〜２００℃）まで汚泥温度を上昇させることによる廃棄活性汚泥（または余剰活性汚泥、waste activated sludge）の前処理を含む。汚泥前処理プロセスの別の例は、細胞膜および細胞壁を破壊するようにパルス状の高電圧（２０Ｖ〜３０Ｖ）を用いるＯｐｅｎＣｅｌ（登録商標）プロセスである。更なる別の例は、細胞をせん断して細胞壁および膜を破壊するように機械的な力を利用するＣｒｏｗｎ（登録商標）Ｄｉｓｉｎｔｅｇｒａｔｅｒである。これらのプロセスの各々は、それら全てが高い資本および作業コストを要する点で類似している。
【０００６】
本発明者は、汚泥を加水分解または可溶化する改善された方法を有し、該方法が、分解可能な有機物質のバイオガスへの高い転化率をもたらし、低い資本および作業コストを有し、および拡張可能であることが望ましいことを認識している。
【課題を解決するための手段】
【０００７】
本発明は、所望の目的のための優れた性能を提供しおよび極端に低い資本および作業コストを有する革新的なプロセスを表す。これは、これまでに知られている方法よりも明らかな経済的利点をもたらす。
【０００８】
二酸化塩素を使用して、廃水内の糞便性大腸菌と従属栄養素細菌の集団を減少しおよび栄養素を消化のために更に即座に利用可能にするように廃水汚泥内の細菌の細胞壁構造を変化させることを含む、微生物消化プロセスを改善するためのシステムが提供される。
【０００９】
廃水処理における生物学的消化プロセスにおいて、微生物は、生分解可能物質を分解して基質を、好気性消化の場合に二酸化炭素および水に、または嫌気性消化の場合にメタンおよび二酸化炭素に転化する。
【００１０】
生汚泥に、消化した汚泥を接種することの実施は、好気性および嫌気性消化の両方における一般的な実施であり、および多くの商業的な接種は、この目的に用いる様々な生体触媒および酵素を含んで利用可能である。これらの方法は、それらの機能に特有の有機物の「貯蔵（stock）」培養をもたらすように機能するが一方で、本発明者は、これらの有機物が食物源に対して競合に直面するということを認識している。とりわけ、嫌気性消化の場合において、消化速度は、廃棄活性汚泥の生物学的に利用可能な（メタン生成細菌により利用可能な）形態への加水分解の低速により制限される。
【００１１】
本発明者は、二酸化塩素を含む新しいプロセスが、現在の方法よりも顕著な経済的利点を与え、消化に関する微生物の更なる制御を提供し、および所望の微生物による分解を向上するということを推測している。消化を向上するように二酸化塩素を使用することは、２つの主要なメカニズムによって；１）システムに、それらの機能に良く適した特定の有機物を接種する前に、無益な微生物の集団を減少することによって、および２）基質物質の細胞壁を変化させて細胞溶解を生じさせまたは促進し、従って、更なる栄養素を微生物に利用可能にすることによって機能する。
【００１２】
向上した競合性排除のこの方法は、消化プロセスが起こるのに必要な時間とエネルギーを減少することにより、および嫌気性消化の場合に気体の製造を向上することにより、顕著な利益を提供する。処理された物質の増加した生物学的酸素要求量により、またはこの処理プロセス後の基質物質の増加した可溶性化学的酸素要求量（ｓ−ＣＯＤ）により、ならびに堆肥化の際に、より高温に達しおよび温度が更に迅速に上昇することにより、基質物質の「調整（conditioning）」は明らかである。
【００１３】
１つの実施形態によれば、本発明は、生汚泥試料、生分解可能な固形物を含む廃水または他の試料を得ること、試料内の微生物を減少または排除しおよびバイオソリッド物質の細胞壁を破壊するのに充分な容量の二酸化塩素を試料に付すこと、二酸化塩素で処理した試料に、有益な微生物の接種物を接種すること、および好気性または嫌気性消化を促進する条件下に接種した試料を置くことを含むプロセスを有する。他の本発明の実施形態は、本明細書に記載される。
【図面の簡単な説明】
【００１４】
【図１】図１は、廃水のｓ−ＣＯＤが、本発明の方法の実施形態を行うことにより増加し得ることを図示したグラフを示す。
【図２】図２は、所定の実施形態により記載されるようなＷＡＳ処理により生成されるホスフェートの増加を図示するグラフを示す。
【図３】図３は、本発明の実施形態の基本的な廃水処理システムの概略である。
【発明を実施するための形態】
【００１５】
主題となる発明は、都市汚泥またはバイオソリッドの向上した消化のために二酸化塩素を利用する新規な方法に関する。１つの実施形態において、該方法は、都市バイオソリッドの促進された堆肥化（好気性消化）の理想条件を提供できる。別の実施形態において、該方法は、前処理されていないバイオソリッドに対して、結果として得られる５０％以上のメタン収率の増加を伴う嫌気性消化を容易にするのに用いることができる。
【００１６】
第１の実施形態において、任意の一般的な方法で脱水する前に、廃棄活性汚泥の細菌濃度を減少するのに二酸化塩素を用いる。次に、クラスＢスタンダードに対する病原菌減少のための米国環境保護庁要件を満たす得られたバイオソリッドケーキに、堆肥化プロセスに適している任意の市販されている細菌混合物を接種し、および物質を木材廃棄物または植物性廃棄物と混合できる。この方法により処理されたバイオソリッドを迅速かつ経済的にクラスＡスタンダードに堆肥化できる。
【００１７】
例えば、限定されるものではないが、Ｔｕｒｎｅｄ  Ｗｉｎｄｒｏｗ、Ａｅｒａｔｅｄ  Ｓｔａｔｉｃ  Ｐｉｌｅ（開口または取り囲まれた）、Ａｅｒａｔｅｄ  Ｔｕｒｎｅｄ  Ｗｉｎｄｒｏｗ  Ｈｏｒｉｚｏｎｔｉａｌ  Ａｇｉｔａｔｅｄ  ＢｅｄまたはＩｎ−Ｖｅｓｓｅｌ  Ｐｒｏｃｅｓｓｅｓ（様々な種類）のような任意の一般的な方法を用いた堆肥化を利用してよい。しかしながら、好ましい実施形態において、物質は、強制換気静的堆積法（air-forced static pile method）を用いて堆肥化され、該方法では、バイオソリッド内の有機物の好気性消化または分解の主因である細菌が上限の好熱性範囲における温度（１５０°Ｆ〜１７６°Ｆ）により減少しないように、堆積物への空気添加により温度が１５０°Ｆを概して越えるのを防ぐように、温度が調節される。初めに、二酸化塩素を添加することによって（＞＋１００ｍＶ）、および後に、処理された物質における好ましい範囲のＯＲＰ（０＞ｍＶ）を維持して硫黄還元細菌の活性を妨げるように堆積物を通気することによっておよび堆積物における嫌気性条件を防ぐことによって、この実施形態を用いて行われる場合の本発明の方法は、高い酸化還元電位を維持する結果として生じる悪臭の形成を防ぐ付加的な利益を有する。硫黄還元細菌は、−１００ｍＶのＯＲＰよりも低い範囲で最も機能する。
【００１８】
二酸化塩素により処理され次いで接種および堆肥化されたＷＡＳを参照すると、消化されていない「調整された」バイオソリッドは、消化された汚泥よりも高い揮発性固形物部分を含みおよびより即座に消化するので、処理プロセスは、堆肥化プロセスがより急速に生じることを可能にし、堆積物がより高温までより速く到達するのを可能にしている。糞便性大腸菌、他の病原体またはあり得る病原性細菌による食物源のための競合欠如は、堆肥化プロセスの主因である有機物による物質のより迅速な分解を可能にしている。これらの条件は、また、プロセス中に、他の望ましくない有機物の競合性排除または病原体の起こり得る再成長をもたらす。
【００１９】
プロセスからの減少した臭気と組合せて、クラスＡスタンダードまで堆肥化するのに必要な短縮された時間は、これを市政機関（利用可能な空間および堆肥化による臭気に対する懸念に起因して、これを低コストの代替手段としてみなしていなかった）に対し実行可能な選択肢にする。
【００２０】
別の実施形態によれば、本発明は、生汚泥試料、生分解可能な固形物を含む廃水または他の試料を得ること、クラスＢスタンダードを満たすように糞便性大腸菌濃度を減少しおよびバイオソリッド物質の細胞壁を破壊するのに充分な容量の二酸化塩素を試料に付すこと、有益な微生物（例えば、中温性および好熱性微生物（または他の微生物）および/または方線菌等）の接種物を、二酸化塩素で処理した試料に接種すること、および試料をクラスＡバイオソリッドに転化にする条件下で接種した試料を堆肥化することを含むプロセスを有する。一般的な中温性微生物の例は、限定されるものではないが、リステリアモノサイトゲネス、シュードモナスマルトフィリア、チオバチルスノベルス（Thiobacillus novellus）、黄色ブドウ球菌、化膿レンサ球菌、肺炎レンサ球菌、大腸菌、およびクロストリジウムクルイベリ（Clostridium kluyveri）を含む。一般的な好熱性微生物の例は、限定されるものではないが、バシラス・ステアロサーモフィラスおよび細菌属を含む。様々な好熱性の菌類リゾムコール・プシルス、ケトミウム属の好熱菌、フミコーラインソレンス、フミコーララヌギノサ（Humicola langinosus）、好熱性糸状菌、およびアスペルギルス・フミガタス。
【００２１】
酸化剤処理による廃棄物内の微生物の意図的な減少および処理後における処理された廃棄物への微生物の意図的な接種（または植菌）に関する本明細書の教示を備えた当業者は、嫌気性消化、好気性消化、または堆肥化のために、処理された廃棄物に接種する際に用いる微生物の最適な組合せを求めることができる。
【００２２】
プロセスからの減少した臭気と組合せて、クラスＡスタンダードまで堆肥化するのに必要な短縮された時間は、これを市政機関（利用可能な空間および堆肥化による臭気に対する懸念に起因して、これを低コストの代替手段としてみなしていなかった）に対し実行可能な選択肢にする。
【００２３】
市政機関にとっての堆肥化に対する主要な障害は、作業に必要な時間／空間であり、およびプロセスで発生する臭気である。本発明の実施形態の利点および特徴は、これらの障害を克服する：
バイオソリッド内の細菌濃度を減少するように二酸化塩素を使用すること。このことは、堆肥化プロセスにおいて有益である微生物の栄養素に対する競合を減少する。二酸化塩素はかなり反応しやすいので、残留の殺菌が堆肥化プロセスを妨げるように存在しないように、二酸化塩素は迅速に減少する。
物質を「前処理」する（いくらかの程度の細胞溶解を生じさせる）ように二酸化塩素を使用すること。このことは、堆肥化プロセスを促進するように、物質を「好ましい」微生物に更に即座に利用可能にする。
堆肥化プロセスに用いる出発材料または「貯蔵（stock）」物質の臭気を減少するように二酸化塩素を使用すること。このことは、ほとんどの施設が堆肥化しない主要な理由である。
貯蔵源は、微生物のための更なる「食物」をもたらすので、貯蔵源が有益であるように消化されていない汚泥を使用すること。堆積物内の温度は、典型的には、消化されていない汚泥により更に高い。このことは、臭気がプロセスを使用不可能にするので、二酸化塩素無しでは実際に行うことはできない。
消化（堆肥化）の上昇した速度は、プロセスを行うために利用可能である必要がある時間および空間に対する際立った影響を有する。
「容器内」の堆肥化は、臭気を更に減少し、およびより寒い地域（colder climate）でのプロセスの使用を可能にする。
このプロセスを行うコストは、クラスＡバイオソリッドを生成するための他の既知の方法よりも実質的に高価であるべきではない。
【００２４】
二酸化塩素を既知の方法に従って発生でき、例えば、国際公開ＷＯ２０１０／１２６５４８号公報；および国際公開ＰＣＴ／ＵＳ１０／５９２０８号公報を参照されたい。廃水処理システムに関連して廃水試料を処理するための１つのシステムは、米国仮出願第６１／３２８，３６３号に開示されている。簡潔に、図３を参照すると、廃水１０８は、まず、ヘッドワーク１１０に入り、および次いで生物学的処理場１１５に移動する。生物学的処理場１１５は、廃水内のバイオソリッドから分離した栄養素（およびバイオソリッドに付随した低パーセントの栄養素）を除去して、栄養素減少廃水試料１１６を生成するように主に機能する。栄養素減少廃水試料１１６を浄化器１２０に移動し、栄養素減少廃水試料１１６を、排水要素１２１とＷＡＳ要素１２２とに分離する。排水要素１２１を廃棄する。
【００２５】
ＷＡＳ要素１２２は、配管１２４内に輸送され、および酸化剤処理領域１２５（酸化剤処理領域１２５に流体連結しているその場酸化剤発生器１２７によって供給されている）に暴露される。配管１２４は、配管と一体であってよいまたは分離してよい酸化剤投与要素１４３を含んでおり、化学酸化剤を、制御した方法でＷＡＳに投与する。
【００２６】
１つの実施形態において、酸化剤処理に続いて、ＷＡＳ１２３を脱水装置１４０（例えば、ベルトフィルタプレスまたは遠心分離機）に輸送し、更なる水を、ＷＡＳから除去して、１２パーセント〜３０パーセントのバイオソリッドを有する濃縮バイオソリッド試料１４１を達成する。脱水場１４０前に達成した濃縮バイオソリッド試料は、酸化剤添加により得られるより高いＯＲＰを有する。脱水に続いて、脱水したバイオソリッドを堆肥化して、クラスＡのバイオソリッドを達成できる。
【００２７】
別の実施形態によれば、酸化剤処理に続いて、ＷＡＳ１２３を保持タンク２１０に輸送する。細胞の破壊が酸化剤処理の結果生じるように、所定時間に亘って、処理されたＷＡＳを「調整（condition）」する。このことは、１時間、２時間、３時間、４時間、５時間、または６時間、もしくは更なる時間であってよい。典型的には、保持タンク内の調整時間は、６時間〜２４時間である。調整時間に続いて、調整されたＷＡＳを、消化槽１８４に移動する。消化槽１８４は、嫌気性消化または好気性消化を行う。メタン製造のための嫌気性消化に関して、調整されたＷＡＳは、より高い可溶性ＣＯＤ率をもたらし、供給汚泥のいかなる所定容量に対してもメタン製造の増加を容易にする。酸化剤処理に続いて、改善された消化を容易にするように、有益な細菌をＷＡＳに戻って添加できる。消化のための細菌は、酢酸生成細菌および/またはメタン生成細菌（始原菌と言うこともある）を含む。
【００２８】
廃水処理プロセス
スクリーニングおよび生物学的処理
廃水処理プロセスは、多くの逐次的工程から成る。典型的には、廃水は、ヘッドワーク（headwork）において廃水処理プラントに入る。ヘッドワークは、主要なグリット（または沈砂場、grit）および廃水処理プラントのための異種物除去システムとして機能する。ヘッドワークからの廃水を、所定形態の生物学的処理ユニット（「ＢＴＵ」）（すなわち、酸化溝、逐次回分式反応器、生物的反応器部分等）に移動する。ＢＴＵでは、栄養素を廃水から除去する。典型的には、廃水処理プロセスにおけるこの生物学的栄養素除去工程間の微生物成長は、廃水流れの固形物および液体要素の分離を可能にする生物学的フロックを形成する。衛生的な汚泥内の茶色のフロックであるこの物質は、腐栄養素微生物から大部分が成るがしかし、アメーバ、Ｓｐｉｒｏｔｒｉｃｈｓ、釣鐘虫類（Vorticellids）を含むＰｅｒｉｔｒｉｃｈｓ、および所定範囲の他のフィルター供給される種から主に成る重要な原生動物細菌叢（protozoan flora）を有する。また、廃水をＢＴＵ内で通気する。栄養素の含有量を減少するように、通気と組合せて廃水を有機物に暴露することを「生物学的処理」と言う。
【００２９】
浄化
スクリーニングおよび生物学的処理の後に、廃水および蓄積した有機物を浄化プロセスに送る。浄化は、水または排水が固形物またはバイオソリッドとして知られる有機物から分離する場所である。一旦、生汚水に生物学的処理および浄化が行われると、バイオソリッド試料は、廃棄活性汚泥（ＷＡＳ）であるとみなされる。この時点から、バイオソリッドは、典型的には、いくつかの種類の消化をするように移動する。
【００３０】
消化
浄化後の蓄積したＷＡＳを、安全かつ効率の良い様式で処理および処分する必要がある。消化の目的は、固形物内に存在している有機物容量および病原菌数を減少することであり、および物質内の分解可能な有機物質を減少することである。最も一般的な処理選択肢は、嫌気性消化および好気性消化を含む。
【００３１】
嫌気性消化は、酸素の欠如下で行う微生物プロセスである。このプロセスは、５５℃の温度においてタンク内で汚泥を発酵させる好熱性消化、または概ね３６℃の温度において中温性であり得る。より短い保持時間（および従ってより小さなタンク）を可能にするにもかかわらず、好熱性消化は、汚泥を加熱するためのエネルギー消費に関してより高価である。
【００３２】
嫌気性消化は、Ｓｅｐｔｉｃ  Ｔａｎｋ内における家庭下水の最も一般的な（中温性）処理であり、該Ｔａｎｋは、普通、１日から２日下水を保持し、Ｂ．Ｏ．Ｄ．を約３５％〜４０％減少させる。この減少は、Ｓｅｐｉｃ  Ｔａｎｋに’Ａｅｒｏｂｉｃ  Ｔｒｅａｔｍｅｎｔ  Ｕｎｉｔｓ’（ＡＴＵ）を取り付けることによって、嫌気性および好気性の組合せにより向上できる。
【００３３】
好気性消化は、酸素の存在下で起こる微生物プロセスである。好気性条件下において、微生物は、有機物を急速に処理して、それを二酸化炭素に転化する。酸素をプロセスに添加するのに必要である送風機、ポンプおよびモーターにより用いられるエネルギーに起因して、作業コストは、好気性消化のために特徴的にずっと大きかった。
【００３４】
脱水
浄化および全ての後続の処理工程に続く工程として、ＷＡＳは、それらを有益に再利用する前に脱水され得る。ＷＡＳは、しばしば、たった３パーセント〜５パーセントの固形物であり、従って、物質からの水の除去は、重量と、更なる処理または処分もしくは再利用のコストとを減少するのに不可欠である。ベルトプレス、遠心分離機、および他の装置を含む様々な技術が、脱水バイオソリッドに用いられる。
【００３５】
酸化還元電位（ＯＲＰ）：
酸化還元電位（レドックス電位、酸化／還元電位またはＯＲＰとしても知られる）は、化学種が電子を要するおよび従って還元される傾向の尺度である。ＯＲＰは、ボルト（Ｖ）またはミリボルト（ｍＶ）で測定される。各々の種は、独自の固有の還元電位を有する；電位が高いほど、電子に対する当該種の親和力および還元される傾向が大きくなる。異なる生物学的プロセスは、異なる条件下またはＯＲＰ範囲において生じる。例えば、メタン生成細菌は、非常に低いＯＲＰ（約−３００ｍＶ）において機能する。硫黄還元細菌は、約−５０ｍＶ〜約０ｍＶのＯＲＰレベルではあまり機能しない。二酸化塩素が完全に減少した後のＯＲＰの急速な減少は、実際に、嫌気性消化によるメタンの製造を促進する可能性があり、二酸化塩素の添加により生じるＯＲＰの上昇およびＯＲＰを正のｍＶ範囲で維持する、後の通気は、好気性消化または堆肥化中に堆肥化堆積物内において嫌気性条件が発生することおよび硫黄還元細菌の活性を妨げることができる。
【００３６】
１００万分の１（ＰＰＭ）：
１００万分の１は、非常に希釈された濃度の物質を表現する方法である。パーセントが「１００のうちの（当たり）」を意味するのと同様に、１００万分の１またはｐｐｍは、「１００万のうちの（当たり）」を意味する。通常、水または土壌の中の何かの濃度を説明する。１ｐｐｍは、水の１リットル当たりの何かの１ミリグラム（ｍｇ／ｌ）または土壌のキログラム当たりの何かの１ミリグラム（ｍｇ／ｋｇ）に相当する。
【実施例】
【００３７】
実施例１
都市汚泥内の病原体および従属栄養素微生物の集団を減少させるように二酸化塩素を使用することを評価した。
【００３８】
消化されていない廃水汚泥の二酸化塩素による処理は、クラスＢスタンダード（＜２，０００，０００の糞便性大腸菌）よりもずっと低いレベルまで糞便性大腸菌濃度を減少することによって、物質が消化（１５分未満の接触時間を伴う）前におけるクラスＢ病原体減少要件を満たすことを可能にする。得られたバイオソリッドケーキは、臭気を有さない。二酸化塩素の様々な添加速度における糞便性大腸菌減少の例を表１に示す。
【表１】
2013515600.tif 000003
【００３９】
この試験では、二酸化塩素を、その場で発生させ、および４インチの直径のパイプを通過する１００ガロン／分の汚泥流れに（様々な濃度で）注入した。パイプ長さは、物質を脱水する前における汚泥と二酸化塩素の間の１０分の接触時間を可能にするのに充分であった。
【００４０】
低コストにおけるクラスＢバイオソリッドおよび減少した臭気の生成は、多くの装置に完璧であるが一方で、本発明は、市政機関のためのいくつかの付加的な選択肢を提供する。本発明により処理されたＷＡＳを、迅速にかつ経済的にクラスＡスタンダードに堆肥化できる。脱水後に、この方法により処理されたバイオソリッドに、所望の微生物を接種し、および５０％以下の全ての固形物までケーキを乾燥するように乾燥台（またはベッド、bed）に配置し、または空気を堆積物に通過可能にするように植物性廃棄物と混合した。バイオソリッドは、次いで、ウィンドロー（windrow）において、または強制換気静的堆積法（forced air static pile method）を用いて堆肥化した。糞便性大腸菌を減少した後の適切な微生物による接種は、より早い堆肥化のためのより良い環境をもたらす。容器内の堆肥化（強制換気静的堆積法のバリエーション）は、臭気を最小限にし、およびプロセスの変化について更なる制御をもたらす。消化されていない「調整された」バイオソリッドは更に即座に分解するので、ＷＡＳの使用は、堆肥化プロセスが急速に生じ、堆積物が、より高温をより速く達成するのを可能にする。
【００４１】
堆肥化プロセスにおいて活発な微生物の集団は、存在しているＳｔｒｅｐｔｏｍｙｃｅｓおよびＢａｃｉｌｌｕｓ種の混合物、および多くの非胞子形成微生物により、いくらか多様である。非胞子形成微生物は、典型的には、より低温（５５℃より低い）で存在している。最も多くのＢａｃｉｌｌｕｓ種は、５５℃〜６９℃の範囲である温度間で存在している。
【００４２】
分解作用、または堆肥化プロセスの消化速度は、６０℃を越える温度により悪影響を受ける（このことは、堆肥化の主因である微生物を不活性にするので）。病原体の不活性化が迅速に始まる温度（５５℃）に到達しおよび次いで温度が、基質物質の生物学的分解の主因である細菌を不活性にしないように堆肥化の強制換気静的堆積法の使用を通じて温度を制限する能力は、堆肥化都市バイオソリッドの他の方法よりも顕著な利益を提供する。
【００４３】
実施例２
本発明の第２の実施形態において、ＷＡＳを、第１の実施形態と同じまたは高い添加量により処理でき、および長い接触時間を可能にし、より大きい程度の酸化、細胞溶解および細胞内の物質の放出をもたらし、利用可能な更に多い栄養素をもたらし、および従ってより大きく向上した微生物活性をもたらすことができる。更なる特定の実施形態において、二酸化塩素の添加速度は、５０ｍｇ／Ｌ〜１５０ｍｇ／Ｌであり、および汚泥を、２４時間に亘り保持する。二酸化塩素は汚泥内の物質を酸化させるので、二酸化塩素は亜塩素酸塩に還元される。亜塩素酸塩もまた酸化剤であり、および有機物質との接触により更に還元される。得られた汚泥は、細菌のための食物源として、顕著に更に多い容量の生物学的に利用可能な物質を含む（残りの殺菌特性を有さないけれども）。メタン製造の実質的な向上は極端に低コストであると認識され得るので、この第２の実施形態は、次の消化プロセスが嫌気性である場合にとりわけ重要である。
【００４４】
汚泥を可溶化し、栄養素を生物学的に利用可能にしおよびこの物質を設置された嫌気性消化槽に供給する（一旦、二酸化塩素残留物が減少すると）ように、消化されていない廃水汚泥を二酸化塩素によって処理することは、嫌気性消化槽における気体（メタン）の製造を改善する。３５℃におけるメタンの製造に対して概して容認される推定量は、消費されるｋｇＣＯＤ当たりの０．２５ｋｇのメタンである。メタン１ｋモルは、１６ｋｇの質量に相当する。定義により、メタンの１ｋモルのＣＯＤ当量は、式によれば、完全な酸化に必要である酸素量の質量である：
ＣＨ４＋２Ｏ２→ＣＯ２＋２Ｈ２Ｏ
２Ｏ２の質量は、酸素２ｋモルまたは６４ｋｇである。従って、６４ｋｇの酸素要求量は、メタン１６ｋｇに相当し、または酸素要求量（ＣＯＤ）の１ｋｇは、１６／６４＝０．２５ｋｇのメタンに相当する。
【００４５】
図１は、このプロセスの結果、および様々な添加速度において時間に対する可溶性化学的酸素要求量（ｓ−ＣＯＤ）の得られた増加を示す。廃棄活性汚泥（ＷＡＳ）は、地方の都市ＷＷＴＰ（ｃＢＯＤのみを除去しおよび純酸素システムを用いる）から得られた。同様の実験条件を達成しおよびこれまでの予備的実験と矛盾しないように、固形物濃度を、約７ｇ／Ｌに調整した。３つの消化槽を、配置しおよびそれぞれ１００ｍｇ／Ｌ、１５０ｍｇ／Ｌおよび２００ｍｇ／Ｌの二酸化塩素添加により処理した。消化槽を２４時間に亘って作動させた。異なる接触時間を示すように１０分、１時間、６時間、１２時間および２４時間の時間間隔で、試料を取り出した。
【００４６】
可溶性ＣＯＤのこの増加は、汚泥の全ＣＯＤ濃度の１０％〜１１％を表し、および可溶性ＣＯＤの２０００％の増加を表す。ｓ−ＣＯＤが高いほど、メタン製造のための能力が高いと考えられる。嫌気性消化のこの向上の結果得られたメタン製造の増加は、この方法を利用した５０％よりも大きい増加として測定されており、および予め処理されていないＷＡＳよりも１００％以上の範囲であると予測される。施設が、加熱（６００ＢＴＵ／ｆｔ３以下）のためにまたは電気発生のためにこの捕捉されたバイオガスを用いると、この経済的な影響は顕著である。
【００４７】
接触時間が、二酸化塩素の添加量の差異よりも可溶性ＣＯＤ濃度の増加（図１）に対して大きな影響を有することが見出された。２４時間の最も長い接触時間において、二酸化塩素添加量が、それぞれ、１００ｍｇ／Ｌから１５０ｍｇ／Ｌおよび２００ｍｇ／Ｌまで増加した場合に、可溶性ＣＯＤ濃度は、９１３ｍｇ／Ｌから９８４ｍｇ／Ｌおよび９６５ｍｇ／Ｌまで増加した。このことは、二酸化塩素の接触時間が、ＷＡＳ可溶化のための重要な要因であるということを確認した。増加した可溶性ＣＯＤ濃度は、相当に顕著であるＴＣＯＤの１０％〜１１％として表され得る。６時間の接触時間における可溶性ＣＯＤ濃度は、２４時間において可溶性ＣＯＤの約５５％〜約６５％であることも観察された。このことは、二酸化塩素処理による急速なＷＡＳ可溶化が最初の６時間で生じているということを示唆した。可溶性ＣＯＤの増加は、異なる二酸化塩素処理添加量による４％〜６％の揮発性固形物の破壊に対応した。
【００４８】
図２に示すように、ＮＨ４の増加は、３ｍｇ／Ｌ〜５．２ｍｇ／Ｌであり、および全ての二酸化塩素処理において観察された。このことは、重要ではないと考えられる。ＰＯ４の増加は、ずっと高く、および２４時間後において１６ｍｇＰ／Ｌ〜２８．３ｍｇＰ／Ｌに相当した。窒素よりも高いホスフェート放出は、結合されていないオルトホスフェートＰＯ４−Ｐの放出をもたらす細胞壁を破壊する二酸化塩素処理に寄与できる。細胞内の窒素は、有機性窒素（アミノ酸）の形態であり、および酵素は、有機性窒素をアンモニア窒素に転化するのに必要である。二酸化塩素処理から得られる低いｐＨは、酵素作用を不活性化したかもしれず、従って、ＮＨ４−Ｎの増加が、無い／わずかに検出された。
【００４９】
実施例３
二酸化塩素によって消化されていない汚泥を処理しおよび次いで嫌気性条件下において適切な有機物を物質に接種することは、バイオガスの製造を改善できる。この方法は、典型的な嫌気性消化のようなメタン生成の前に、異なって水素を生成する、または水素を「収集」するように、所定プロセスと併せて用いる場合に同じ利益を有する。この水素製造の１つの例は、水素ガスを発生させるように生物電気的に支援される微生物反応器と組合せて用いる場合である。この反応器の例は、米国特許第７，４９１，４５３号公報である。従って、別の実施形態では、本発明は、生汚泥試料、生分解可能な固形物を含む廃水または他の試料を得ること、試料内の微生物を減少または排除するのに充分な所定量の二酸化塩素を試料に付すこと、二酸化塩素で処理された試料に、嫌気性条件下において活性化された有益な微生物の接種物を接種すること、および接種した試料を、生体電気的に支援された嫌気性消化を促進する条件下に置くことによって水素ガスを発生させる方法または水素ガスを製造する同様の方法、ならびに前記水素ガスを収集することを有する。
【００５０】
本明細書に参照された全ての特許、特許出願、特許公開、技術的刊行物、科学的刊行物、および他の参照は、本発明が有する技術を更に充分に説明するように本出願の参照によって本明細書に組み込まれることを念頭に置かれたい。
【００５１】
とりわけ、バッファー、媒体、試薬、細胞または培養条件等もしくはそのいくつかの部分集合への言及は、限定されるものではないが、当業者が、特定の内容（その記載が示す）において利益または価値があると認識する全てのこのような関連物質を含むと解されるべきである。例えば、１つのバッファーシステムまたは培養媒体を他のものに代えることはしばしば可能であり、異なるが既知の方法は、提案された方法、物質または組成の使用がターゲットにするそれらと同じ目標を達成するのに用いられる。
【００５２】
本明細書に用いる全ての技術的および科学的用語は、本明細書で規定されない限り、当業者により一般的に理解されるものと同じ意味を有することが意図されることに留意することは、本発明の理解に重要である。本明細書に用いる技術は、別段の指定がない限り、当業者に知られているそれらでもある。本明細書に開示されおよび特許請求の範囲に示された本発明の理解を更に明確に容易にするために以下の定義を付する。
【００５３】
本発明の多くの実施形態は、本明細書の本文中に示されおよび説明されるが一方で、このような実施形態は、単なる例示として付され、および限定するものではない。当業者は、本明細書の本発明から実質的に逸脱せずに、多くのバリエーション、変形および置換を考える。例えば、本発明は、本明細書に開示されるベストモードに対して限定される必要がない。なぜなら、他の適用は、同様に、本発明の教示から利益になり得るからである。また、特許請求の範囲において、ミーンズプラスファンクションおよびステッププラスファンクションクローズは、列挙した機能を果たすようにそれぞれ本明細書に記載された構造および行為、および構造の均等物または行為の均等物だけではなく等しい構造または等しい行為も含むことが意図される。従って、全てのこのような改良は、それらの解釈について関連法に従って以下の請求項で規定されるような本発明の特許請求の範囲の技術的範囲内に含まれることが意図される。
【図１】
2013515600.tif 000004
【図２】
2013515600.tif 000005
【図３】
2013515600.tif 000006
【国際調査報告】
2013515600.tif 000007
2013515600.tif 000008
2013515600.tif 000009